(57)【要約】【課題】保管時や運搬時に反り変形することがなく、敷設施工を支障なく行うことができる温調マットの折り畳み体を提供する。【解決手段】床暖房マット１は、基板Ａ〜Ｃがこの順に一列に配列され、基板Ｄ〜Ｆがこの順に、且つ基板Ａ〜Ｃに隣接するように一列に配列されてなる。床暖房マット１を折り畳む場合、基板Ａ，Ｂ間及び基板Ｂ，Ｃ間を、それぞれ、これらの突き合わせ部ＴＳに沿って谷折りして、該基板Ａ，Ｃをそれぞれ基板Ｂ上に重ねると共に、基板Ｄ，Ｅ間及び基板Ｅ，Ｆ間を、それぞれ、これらの突き合わせ部ＴＳに沿って谷折りして、該基板Ｄ，Ｆをそれぞれ基板Ｅ上に重ね、１次折り畳み体とする。その後、１次折り畳み体の基板Ｂ，Ｅ間を、これらの突き合わせ部ＴＬに沿って山折りして、該基板Ｂ，Ｅ同士を重ね合わせ、最終折り畳み体とする。【選択図】図１
2008224091.tif 000002
【特許請求の範囲】
【請求項１】
上面に配管収容用の溝が設けられた略方形状の６枚の基板と、
該溝に収容された温調用配管と、
各基板の上面を覆うように配置され、各基板の上面に付着された均熱シート材と
を有し、
該基板同士の突き合わせ部に沿って折り畳まれた温調マットの折り畳み体において、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
前記均熱シート材により、基板Ａ，Ｂ同士、基板Ｂ，Ｃ同士、基板Ｄ，Ｅ同士、及び基板Ｅ，Ｆ同士が連結され、基板Ａ，Ｄ同士、基板Ｃ，Ｆ同士及び基板Ｂ，Ｅ同士は非連結とされており、
基板Ａが基板Ｂにのみ重なり、且つ基板Ｃが基板Ｂにのみ重なるように基板Ａ，Ｂ間及び基板Ｂ，Ｃ間がそれぞれ谷折りされると共に、基板Ｄが基板Ｅにのみ重なり、且つ基板Ｆが基板Ｅにのみ重なるように基板Ｄ，Ｅ間及び基板Ｅ，Ｆ間がそれぞれ谷折りされることにより１次折り畳み体とされ、
この１次折り畳み体の基板Ｂ，Ｅ間が山折りされて形成されたことを特徴とする温調マットの折り畳み体。
【請求項２】
上面に配管収容用の溝が設けられた略方形状の６枚の基板と、
該溝に収容された温調用配管と、
各基板の上面を覆うように配置され、各基板の上面に付着された均熱シート材と
を有し、
該基板同士の突き合わせ部に沿って折り畳まれた温調マットの折り畳み体において、
６枚の前記基板Ａ〜Ｆは、
基板Ａ，Ｂ，Ｃがこの順に一列に配列され、
基板Ｄ，Ｅ，Ｆがこの順に、且つ基板Ｄが基板Ａに隣接し、基板Ｅが基板Ｂに隣接し、基板Ｆが基板Ｃに隣接するように配列されており、
前記均熱シート材により、基板Ｅ，Ｂ同士が連結され、基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士は非連結とされており、
基板Ａが基板Ｂにのみ重なり、且つ基板Ｃが基板Ｂにのみ重なるように基板Ａ，Ｂ間及び基板Ｂ，Ｃ間がそれぞれ山折りされると共に、基板Ｄが基板Ｅにのみ重なり、且つ基板Ｆが基板Ｅにのみ重なるように基板Ｄ，Ｅ間及び基板Ｅ，Ｆ間がそれぞれ山折りされることにより１次折り畳み体とされ、
この１次折り畳み体の基板Ｂ，Ｅ間が谷折りされて形成されたことを特徴とする温調マットの折り畳み体。
【請求項３】
請求項１又は２において、前記基板Ｅに温調媒体供給用のヘッダーが設けられており、
該ヘッダーに連なる第１の温調用配管が、基板Ｅ，Ｂ，Ａ，Ｄに配設され、第２の温調用配管が、基板Ｅ，Ｂ，Ｃ，Ｆに配設されていることを特徴とする温調マットの折り畳み体。
【請求項４】
請求項１又は２において、前記基板Ｅに温調媒体供給用のヘッダーが設けられており、
該ヘッダーに連なる第１の温調用配管が、基板Ｅ，Ｂ，Ａに配設され、第２の温調用配管が、基板Ｅ，Ｂ，Ｃに配設され、第３の温調用配管が、基板Ｅ，Ｄに配設され、第４の温調用配管が、基板Ｅ，Ｆに配設されていることを特徴とする温調マットの折り畳み体。
【発明の詳細な説明】
【技術分野】
【０００１】
本発明は、建物の室の床、壁、天井等の暖房や冷房を行うための温調マットを折り畳んでなる折り畳み体に係り、特に、６枚の基板を有する温調マットの折り畳み体に関する。
【背景技術】
【０００２】
床暖房構造として、板状のベースの上面の溝に温水配管を引き回した温水マットがある。
【０００３】
この温水マットとして、折り重ねる如く折り畳んだものが実用化されている。温水マットを折り畳むことにより、運搬時等の取り扱い性が良好なものとなる。
【０００４】
この折り畳み体の従来例として、特開２００２−１３０７０５号公報の００３３段落及び図５，６に記載のものがある。
【特許文献１】特開２００２−１３０７０５号公報
【発明の開示】
【発明が解決しようとする課題】
【０００５】
上記特開２００２−１３０７０５号公報の折り畳み体にあっては、同号公報の図６に見られる通り、折り畳み体の重なった基板同士の間に部分的に空洞状部分が存在する。この空洞状部分に臨む一方の基板は、保管時や運搬時に圧迫されたときに凹反りしてしまい、床上に敷設したときに床から浮いてしまう。
【０００６】
本発明は、このような従来技術の問題点を解消し、保管時や運搬時に反り変形することがなく、敷設施工を支障なく行うことができる温調マットの折り畳み体を提供することを目的とする。
【課題を解決するための手段】
【０００７】
請求項１の温調マットの折り畳み体は、上面に配管収容用の溝が設けられた略方形状の６枚の基板と、該溝に収容された温調用配管と、各基板の上面を覆うように配置され、各基板の上面に付着された均熱シート材とを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、前記均熱シート材により、基板Ａ，Ｂ同士、基板Ｂ，Ｃ同士、基板Ｄ，Ｅ同士、及び基板Ｅ，Ｆ同士が連結され、基板Ａ，Ｄ同士、基板Ｃ，Ｆ同士及び基板Ｂ，Ｅ同士は非連結とされており、基板Ａが基板Ｂにのみ重なり、且つ基板Ｃが基板Ｂにのみ重なるように基板Ａ，Ｂ間及び基板Ｂ，Ｃ間がそれぞれ谷折りされると共に、基板Ｄが基板Ｅにのみ重なり、且つ基板Ｆが基板Ｅにのみ重なるように基板Ｄ，Ｅ間及び基板Ｅ，Ｆ間がそれぞれ谷折りされることにより１次折り畳み体とされ、この１次折り畳み体の基板Ｂ，Ｅ間が山折りされて形成されたことを特徴とするものである。
【０００８】
請求項２の温調マットの折り畳み体は、上面に配管収容用の溝が設けられた略方形状の６枚の基板と、該溝に収容された温調用配管と、各基板の上面を覆うように配置され、各基板の上面に付着された均熱シート材とを有し、該基板同士の突き合わせ部に沿って折り畳まれた温調マットの折り畳み体において、６枚の前記基板Ａ〜Ｆは、基板Ａ，Ｂ，Ｃがこの順に一列に配列され、基板Ｄ，Ｅ，Ｆがこの順に、且つ基板Ｄが基板Ａに隣接し、基板Ｅが基板Ｂに隣接し、基板Ｆが基板Ｃに隣接するように配列されており、前記均熱シート材により、基板Ｅ，Ｂ同士が連結され、基板Ａ，Ｂ同士、基板Ｂ，Ｃ同士、基板Ｄ，Ｅ同士、基板Ｅ，Ｆ同士、基板Ａ，Ｄ同士及び基板Ｃ，Ｆ同士は非連結とされており、基板Ａが基板Ｂにのみ重なり、且つ基板Ｃが基板Ｂにのみ重なるように基板Ａ，Ｂ間及び基板Ｂ，Ｃ間がそれぞれ山折りされると共に、基板Ｄが基板Ｅにのみ重なり、且つ基板Ｆが基板Ｅにのみ重なるように基板Ｄ，Ｅ間及び基板Ｅ，Ｆ間がそれぞれ山折りされることにより１次折り畳み体とされ、この１次折り畳み体の基板Ｂ，Ｅ間が谷折りされて形成されたことを特徴とするものである。
【０００９】
請求項３の温調マットの折り畳み体は、請求項１又は２において、前記基板Ｅに温調媒体供給用のヘッダーが設けられており、該ヘッダーに連なる第１の温調用配管が、基板Ｅ，Ｂ，Ａ，Ｄに配設され、第２の温調用配管が、基板Ｅ，Ｂ，Ｃ，Ｆに配設されていることを特徴とするものである。
【００１０】
請求項４の温調マットの折り畳み体は、請求項１又は２において、前記基板Ｅに温調媒体供給用のヘッダーが設けられており、該ヘッダーに連なる第１の温調用配管が、基板Ｅ，Ｂ，Ａに配設され、第２の温調用配管が、基板Ｅ，Ｂ，Ｃに配設され、第３の温調用配管が、基板Ｅ，Ｄに配設され、第４の温調用配管が、基板Ｅ，Ｆに配設されていることを特徴とするものである。
【発明の効果】
【００１１】
請求項１の温調マットの折り畳み体では、６枚の基板Ａ〜ＦのうちＡ〜Ｃが一列に配列され、これに隣接してＤ〜Ｆが一列に配列されている。そして、Ａ，Ｂ間、Ｂ，Ｃ間、Ｄ，Ｅ間及びＥ，Ｆ間が谷折りされて１次折り畳み体とされ、Ｂ，Ｅ間が山折りされて最終折り畳み形状の折り畳み体とされている。
【００１２】
この折り畳み体にあっては、基板Ｂ，Ｅの裏面同士が全面的に重なるため、折り畳み体に空洞状部分が発生しない。このため、保管時や運搬時に圧迫されても基板に反り変形が生じることが防止される。この結果、この折り畳み体を広げて敷設する際に、全ての基板が平坦状となっており、敷設作業を効率よく行うことが可能となる。
【００１３】
また、請求項２の温調マットの折り畳み体でも、６枚の基板Ａ〜ＦのうちＡ〜Ｃが一列に配列され、これに隣接してＤ〜Ｆが一列に配列されている。そして、この請求項２の折り畳み体では、Ａ，Ｂ間、Ｂ，Ｃ間、Ｄ，Ｅ間及びＥ，Ｆ間が山折りされて１次折り畳み体とされ、Ｂ，Ｅ間が谷折りされて最終折り畳み形状の折り畳み体とされている。
【００１４】
この折り畳み体にあっても、基板Ｂ，Ｅの表面（均熱シート材）同士が全面的に重なるため、折り畳み体に空洞状部分が発生しない。このため、保管時や運搬時に圧迫されても基板に反り変形が生じることが防止される。この結果、この折り畳み体を広げて敷設する際に、全ての基板が平坦状となっており、敷設作業を効率よく行うことが可能となる。
【００１５】
本発明においては、基板Ｅに温調媒体供給用のヘッダーを設けると共に、このヘッダーに連なる第１の温調用配管を基板Ｅ，Ｂ，Ａ，Ｄに配設し、第２の温調用配管を基板Ｅ，Ｂ，Ｃ，Ｆに配設した構成とすることにより、各温調用配管の引き回しを容易に行うことができると共に、該ヘッダーを挟んで基板Ａ，Ｄ側及び基板Ｃ，Ｆ側の温度を略均等にすることができる。
【００１６】
なお、本発明においては、この第１及び第２の温調用配管は、それぞれ、１系統の配管によって構成されてもよく、２系統以上の配管によって構成されてもよい。
【００１７】
また、本発明においては、基板Ｅに温調媒体供給用のヘッダーを設けると共に、このヘッダーに連なる第１の温調用配管を基板Ｅ，Ｂ，Ａに配設し、第２の温調用配管を基板Ｅ，Ｂ，Ｃに配設し、第３の温調用配管を基板Ｅ，Ｄに配設し、第４の温調用配管を基板Ｅ，Ｆに配設した構成としてもよい。このように構成した場合にも、各温調用配管の引き回しを容易に行うことができると共に、基板Ａ〜Ｆの全体にわたって温度を略均等にすることができる。
【００１８】
なお、これらの第１〜第４の温調用配管も、それぞれ、１系統の配管によって構成されてもよく、２系統以上の配管によって構成されてもよい。
【発明を実施するための最良の形態】
【００１９】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。
【００２０】
［第１の実施の形態に係る温調マットの折り畳み体としての床暖房マット１の折り畳み体］
第１図は第１の実施の形態に係る温調マットの折り畳み体としての床暖房マット１の折り畳み体の斜視図、第２図はこの床暖房マット１の展開時の斜視図、第３図はこの展開した床暖房マット１の上面図、第４図はこの展開した床暖房マット１の下面図、第５図は第４図のＶ−Ｖ線に沿う断面図、第６図はこの床暖房マット１の上面の中央付近の拡大図、第７図は第６図のVII部分の拡大図、第８図は第７図のVIII−VIII線に沿う断面図、第９図はこの床暖房マット１の基板Ｂ，Ｅ同士の間を山折りする途中の状態を示す斜視図、第１０図は第４図のＸ−Ｘ線に沿う断面図、第１１図〜第１３図はそれぞれこの床暖房マット１の折り畳み途中時の斜視図である。
【００２１】
なお、第８図（ａ）は基板Ｂ，Ｅ同士を展開した状態を示し、第８図（ｂ）は基板Ｂ，Ｅ間を山折りする途中の状態を示し、第８図（ｃ）は基板Ｂ，Ｅ間を山折りした後の状態を示している。また、第１０図（ａ）は基板Ａ，Ｂ同士を展開した状態を示し、第１０図（ｂ）は基板Ａ，Ｂ間を谷折りする途中の状態を示し、第１０図（ｃ）は基板Ａ，Ｂ間を谷折りした後の状態を示している。
【００２２】
第３図、第６図及び第７図では均熱シート材の図示が省略されている。また、第７図では、温水配管の図示も省略されている。
【００２３】
この床暖房マット１は、略長方形状の６枚の基板Ａ〜Ｆと、各基板Ａ〜Ｆの上面に設けられた溝２に配材された温水配管３と、該温水配管３が連なるヘッダー４と、各基板Ａ〜Ｆの上面を覆うように配置され、各基板Ａ〜Ｆの上面に付着された均熱シート材５，６等を備えている。
【００２４】
この実施の形態では、基板Ｂ，Ｅは、互いの長辺の長さ及び互いの短辺の長さがそれぞれ略等しいものとなっている。また、基板Ａ，Ｃ，Ｄ，Ｆも、互いの長辺の長さ及び互いの短辺の長さがそれぞれ略等しいものとなっている。これらの基板Ａ，Ｃ，Ｄ，Ｆの長辺の長さは、基板Ｂ，Ｅの短辺の長さと略等しくなっている。この床暖房マット１においては、各基板Ａ，Ｃ，Ｄ，Ｆの短辺の長さは、基板Ｂ，Ｅの長辺の長さの半分よりも短い。
【００２５】
第２〜４図の通り、基板Ａ〜Ｃがこの順に一列に配列され、基板Ｄ〜Ｆがこの順に、且つ該基板Ａ〜Ｃに隣接するように一列に配列されている。
【００２６】
基板Ａは、その長辺を基板Ｂの一方の短辺に突き合わせるようにして配置され、基板Ｃは、その長辺を基板Ｂの他方の短辺に突き合わせるようにして配置されている。また、基板Ｄは、その長辺を基板Ｅの一方の短辺に突き合わせるようにして配置され、基板Ｆは、その長辺を基板Ｅの他方の短辺に突き合わせるようにして配置されている。基板Ａ〜Ｃの列と基板Ｄ〜Ｆの列との間では、基板Ａ，Ｄが互いの短辺同士を突き合わせるようにして隣接し、基板Ｂ，Ｅが互いの長辺同士を突き合わせるようにして隣接し、基板Ｃ，Ｆが互いの短辺同士を突き合わせるようにして隣接している。
【００２７】
符号ＴＳは、各基板Ａ，Ｃ，Ｄ，Ｆと基板Ｂ，Ｅとの突き合わせ部を示し、符号ＴＬは、基板Ａ〜Ｃの列と基板Ｄ〜Ｆの列との突き合わせ部を示している。
【００２８】
なお、この実施の形態では、基板Ｂ，Ｅの下面同士が、これらの突き合わせ部ＴＬを跨いで双方の下面に連続して貼り付けられた屈曲可能な連結シート７（第８図）により連結されている。この連結シート７は、柔軟に屈曲可能な布又は合成樹脂シート等よりなる。
【００２９】
この実施の形態では、基板Ｂ，Ｅは、それぞれ、複数枚（この実施の形態では７枚）の帯状の盤体１０〜１６と、複数本（この実施の形態では６本）の小根太３０とを、各々の長手方向を各基板Ｂ，Ｅの短辺方向として、各基板Ｂ，Ｅの長辺方向に交互に配列した如き構成となっている。
【００３０】
また、基板Ａ，Ｃ，Ｄ，Ｆは、それぞれ、複数枚（この実施の形態では３枚）の帯状の盤体１７〜１９と、複数本（この実施の形態では２本）の小根太３０とを、各々の長手方向を各基板Ａ，Ｃ，Ｄ，Ｆの長辺方向として、各基板Ａ，Ｃ，Ｄ，Ｆの短辺方向に交互に配列した如き構成となっている。
【００３１】
各盤体１０〜１９は、各々の長側辺を隣接する小根太３０に突き合わせるようにして配置されている。
【００３２】
基板Ｂの盤体１２，１３同士の間の小根太３０’を除いて、各小根太３０の長さは、各盤体１０〜１９の長さよりも短い。
【００３３】
第３，４図の通り、基板Ｂ，Ｅにおいては、盤体１０，１１同士の間、盤体１２，１３同士の間（基板Ｂを除く）及び盤体１４，１５同士の間の各小根太３０は、それぞれ、一端を各盤体１０〜１６の一端に揃えるようにして配置されている。また、盤体１１，１２同士の間、盤体１３，１４同士の間及び盤体１５，１６同士の間の各小根太３０は、それぞれ、他端を各盤体１０〜１６の他端に揃えるようにして配置されている。
【００３４】
基板Ａ，Ｃ，Ｄ，Ｆにおいては、盤体１７，１８同士の間の小根太３０は、それぞれ、一端を該盤体１７，１８の一端に揃えるようにして配置され、盤体１８，１９同士の間の小根太３０は、それぞれ、他端を該盤体１７，１８の他端に揃えるようにして配置されている。
【００３５】
盤体１０，１１同士、盤体１２，１３同士（基板Ｂを除く）、盤体１４，１５同士及び盤体１７，１８同士は、各々の間の小根太３０の前記他端側を回り込むように形成された連結部３１によって連結されている。また、盤体１１，１２同士、盤体１３，１４同士、盤体１５，１６同士及び盤体１８，１９同士は、各々の間の小根太３０の前記一端側を回り込むように形成された連結部３１によって連結されている。
【００３６】
この実施の形態では、基板Ｂの盤体１２，１３同士の間の小根太３０’は、該盤体１２，１３と同じ長さとなっており、この基板Ｂの盤体１２，１３同士の間には連結部３１は存在しない。
【００３７】
各連結部３１の小根太３０と反対側には、小小根太３２が取り付けられている。
【００３８】
第３，４図の通り、基板Ａ，Ｄは、それぞれ、盤体１９を基板Ｂ，Ｅの盤体１０に突き合わせるようにして配置されている。また、基板Ｃ，Ｆは、それぞれ、第３，４図における上下の向きを基板Ａ，Ｄと逆にして、盤体１９を基板Ｂ，Ｅの盤体１６に突き合わせるようにして配置されている。
【００３９】
なお、基板Ａ，Ｄ同士の間、基板Ｂ，Ｅ同士の間及び基板Ｃ，Ｆ同士の間においては、それぞれ、床暖房マット１を展開したときに、これらの突き合わせ部ＴＬを挟んで、同じ符号の盤体１０〜１９の端辺同士が対向する。
【００４０】
この実施の形態では、基板Ｅの長辺方向の中間付近に位置する盤体１２の、基板Ｂと反対側の端部付近に、ヘッダー配置用の切欠き部１２ａ（第４図）が設けられている。基板Ｅの盤体１２，１３同士の間の連結部３１’は、一端側が該盤体１３に連なり、他端側がこの切欠き部１２ａに臨んでいる。この切欠き部１２ａ内に前記ヘッダー４が配置されている。第４図の符号１２ｂは、この切欠き部１２ａ内にヘッダー４を固定するためのスペーサを示している。
【００４１】
各盤体１０〜１９の上面には、それぞれ、４条の配管収容用の溝２が延設されている。
【００４２】
連結部３１によって連結された盤体１０〜１２同士の間、盤体１３〜１６同士の間、並びに盤体１７，１８同士の間においては、これらの溝２同士は該連結部３１を通って連続している。
【００４３】
基板Ｅの盤体１２，１３においては、各溝２の基板Ｂ側の端部は、それぞれ、該盤体１２，１３の該基板Ｂ側の端辺に臨んでおり、これと反対側の端部は、それぞれ、前記切欠き部１２ａに臨んでいる。
【００４４】
また、基板Ｂの盤体１２，１３においては、各溝２の基板Ｅ側の端部は、それぞれ、該盤体１２，１３の該基板Ｅ側の端辺に臨んでいる。
【００４５】
第７図に示すように、基板Ｅの盤体１２，１３においては、各溝２が該盤体１２，１３の基板Ｂ側の端部付近で円弧状に湾曲しており、各溝２の端部は、該盤体１２，１３の基板Ｂ側の端辺に沿って延在している。また、基板Ｂの盤体１２，１３においても、各溝２が該盤体１２，１３の基板Ｅ側の端部付近で円弧状に湾曲しており、各溝２の端部は、該盤体１２，１３の基板Ｅ側の端辺に沿って延在している。なお、基板Ｅ側の各溝２と、基板Ｂ側の各溝２とは、互いに反対側に向って凸となる円弧形状を呈するように湾曲している。
【００４６】
床暖房マット１を展開した状態においては、基板Ｅ側の盤体１２，１３の各溝２の端部と、基板Ｂ側の盤体１２，１３の各溝２の端部とがそれぞれ対面する。これにより、各溝２が基板Ｂ，Ｅ同士の突き合わせ部ＴＬを跨いで基板Ｅから基板Ｂに連続して延在したものとなる。この実施の形態では、第７図の通り、各溝２は、基板Ｅから基板Ｂにかけて略Ｓ字形を呈するように連続する。
【００４７】
各溝２の端部は盤体１２，１３の端辺に沿って延在しているので、これらの溝２の端部同士が対面することにより、基板Ｂ，Ｅ同士の突き合わせ部ＴＬを跨ぎ、且つ該突き合わせ部ＴＬに沿って延在する溝２’（第７図）が形成される。第７図の通り、盤体１２，１３の端辺からの各溝２の端部の幅Ｗ１は、各溝２の他の部分の幅Ｗ２の半分かそれよりも若干大きなものとなっている。従って、これらの溝２の端部同士が対面することにより形成される溝２’の幅２Ｗ１は、各溝２の他の部分の幅Ｗ２と略同等の大きさとなる。
【００４８】
温水配管３は、この溝２’に収容されるようにして、基板Ｂ，Ｅ同士の突き合わせ部ＴＬを跨いで該基板Ｅから基板Ｂに連続して引き回されている。
【００４９】
なお、第７図では、各溝２は突き合わせ部ＴＬを跨いで基板Ｅから基板Ｂにかけて略Ｓ字形を呈しているが、他の形態として、溝２は、突き合わせ部ＴＬを、該突き合わせ部ＴＬの延在方向と略交叉方向に跨いでもよく、あるいは、該突き合わせ部ＴＬの延在方向に対し斜め方向に略直線状に跨いでもよい。
【００５０】
第１０図に示すように、基板Ｂの盤体１０においては、各溝２の端部が、該盤体１０の基板Ａ側の長側辺に臨んでおり、且つこの長側辺に沿って延在している。また、この基板Ｂの盤体１０と隣接する基板Ａの盤体１９においては、各溝２の端部が、該盤体１９の基板Ｂ側の長側辺に臨んでおり、且つこの長側辺に沿って延在している。
【００５１】
床暖房マット１を展開した状態においては、基板Ｂの盤体１０の各溝２の端部と、基板Ａの盤体１９の各溝２の端部とがそれぞれ対面する。これにより、基板Ａ，Ｂ間においても、各溝２がこれらの突き合わせ部ＴＳを跨いで盤体１０から盤体１９に連続して延在したものとなる。
【００５２】
この基板Ａ，Ｂ間においても、各溝２の端部は盤体１０，１９の長側辺に沿って延在しているので、これらの溝２の端部同士が対面することにより、該基板Ａ，Ｂ同士の突き合わせ部ＴＳを跨ぎ、且つ該突き合わせ部ＴＳに沿って延在する溝２’（第１０図）が形成される。この基板Ａ，Ｂ間においても、各溝２は、該溝２’を介して盤体１０から盤体１９にかけて略Ｓ字形を呈するように連続する。
【００５３】
なお、前述の第７図における基板Ｂ，Ｅ同士の突き合わせ部ＴＬを跨ぐ溝２’と同様、これらの基板Ａ，Ｂ同士の突き合わせ部ＴＳを跨ぐ溝２’の幅も、各溝２の他の部分の幅と略同等の大きさとなる。
【００５４】
温水配管３は、この溝２’に収容されるようにして、基板Ａ，Ｂ同士の突き合わせ部ＴＳを跨いで該基板Ｂから基板Ａに連続して引き回されている。
【００５５】
詳しい図示は省略するが、基板Ｂの盤体１６と基板Ｃの盤体１９との間、基板Ｅの盤体１０と基板Ｄの盤体１９との間、並びに基板Ｅの盤体１６と基板Ｆの盤体１９との間にも、それぞれ、これらの基板同士の突き合わせ部ＴＳを跨ぎ、且つ該突き合わせ部ＴＳに沿って延在する溝２’が形成されており、この溝２’に収容されるようにして、それぞれ突き合わせ部ＴＳを跨いで一方の基板から他方の基板に連続して温水配管３が引き回されている。
【００５６】
第３図の通り、この実施の形態では、ヘッダー４から基板Ｅの盤体１２側と盤体１３側とに、それぞれ１対（即ち２系統）の温水配管３が引き回されている。
【００５７】
ヘッダー４から基板Ｅの盤体１２側に引き回された１対の温水配管３（第１の温調用配管）は、互いに平行に、この基板Ｅの盤体１２から基板Ｂの盤体１２，１１，１０及び基板Ａの盤体１９，１８を経由して該基板Ａの盤体１７まで引き回され、次いで、この基板Ａの盤体１７から、再び該基板Ａの盤体１８，１９及び基板Ｂの盤体１０，１１，１２を経由して基板Ｅの盤体１２に戻り、次いでこの基板Ｅの盤体１２から該基板Ｅの盤体１１，１０及び基板Ｄの盤体１９，１８を経由して該基板Ｄの盤体１７まで引き回され、その後、この基板Ｄの盤体１７から再び該基板Ｄの盤体１８，１９及び基板Ｅの盤体１０，１１を経由して該基板Ｅの盤体１２に戻り、終端がそれぞれヘッダー４に接続されている。
【００５８】
また、ヘッダー４から基板Ｅの盤体１３側に引き回された１対の温水配管３（第２の温調用配管）は、互いに平行に、この基板Ｅの盤体１３から基板Ｂの盤体１３，１４，１５，１６及び基板Ｃの盤体１９，１８を経由して該基板Ｃの盤体１７まで引き回され、次いで、この基板Ｃの盤体１７から、再び該基板Ｃの盤体１８，１９及び基板Ｂの盤体１６，１５，１４，１３を経由して基板Ｅの盤体１３に戻り、次いでこの基板Ｅの盤体１３から該基板Ｅの盤体１４，１５，１６及び基板Ｆの盤体１９，１８を経由して該基板Ｆの盤体１７まで引き回され、その後、この基板Ｆの盤体１７から再び該基板Ｆの盤体１８，１９及び基板Ｅの盤体１６，１５，１４を経由して該基板Ｅの盤体１３に戻り、終端がそれぞれヘッダー４に接続されている。
【００５９】
温水配管３を溝２，２’に収容しつつこのように引き回した後、基板Ａ〜Ｃの上面を連続して覆うように均熱シート材５が配置され、この均熱シート材５が各基板Ａ〜Ｃの上面に接着剤等により貼り付けられている。この均熱シート材５により、基板Ａ，Ｂ同士及び基板Ｂ，Ｃ同士が連結されている。また、基板Ｄ〜Ｆの上面を連続して覆うように均熱シート材６が配置され、この均熱シート材６が各基板Ｄ〜Ｆの上面に接着剤等により貼り付けられている。この均熱シート材６により、基板Ｄ，Ｅ同士及び基板Ｅ，Ｆ同士が連結されている。
【００６０】
なお、このように各基板Ａ〜Ｃの上面に均熱シート材５を貼着することにより、基板Ａ〜Ｃを構成する盤体１０〜１９及びこれらの間の各小根太３０が連結される。各基板Ｄ〜Ｆの上面に均熱シート材６を貼着することにより、基板Ｄ〜Ｆを構成する盤体１０〜１９及びこれらの間の各小根太３０が連結される。
【００６１】
均熱シート材５，６の端部は、それぞれ、基板Ａ，Ｄ同士、基板Ｂ，Ｅ同士及び基板Ｃ，Ｆ同士の突き合わせ部ＴＬに臨んでおり、該突き合わせ部ＴＬにおいて、均熱シート材５，６同士は非連続となっている。
【００６２】
このように構成された床暖房マット１を折り畳む場合には、まず、第２図のように床暖房マット１が展開された状態から、第１１図のように、基板Ａ，Ｂ同士の突き合わせ部ＴＳに沿って、該基板Ａ，Ｂ間で均熱シート材５を谷折りし、これらの基板Ａ，Ｂの上面（均熱シート材５）同士を対面させるようにして、該基板Ａを基板Ｂ上に折り重ねる。また、基板Ｂ，Ｃ同士の突き合わせ部ＴＳに沿って、該基板Ｂ，Ｃ間で均熱シート材５を谷折りし、これらの基板Ｂ，Ｃの上面（均熱シート材５）同士を対面させるようにして、該基板Ｃを基板Ｂ上に折り重ねる。
【００６３】
さらに、基板Ｄ，Ｅ同士の突き合わせ部ＴＳに沿って、該基板Ｄ，Ｅ間で均熱シート材６を谷折りし、これらの基板Ｄ，Ｅの上面（均熱シート材６）同士を対面させるようにして、該基板Ｄを基板Ｅ上に折り重ねる。また、基板Ｅ，Ｆ同士の突き合わせ部ＴＳに沿って、該基板Ｅ，Ｆ間で均熱シート材６を谷折りし、これらの基板Ｅ，Ｆの上面（均熱シート材６）同士を対面させるようにして、該基板Ｆを基板Ｅ上に折り重ねる。
【００６４】
第１２図は、このように基板Ａ，Ｃをそれぞれ基板Ｂ上に折り重ねると共に、基板Ｄ，Ｆをそれぞれ基板Ｅ上に折り重ねた後の、床暖房マット１の１次折り畳み体を示している。
【００６５】
この床暖房マット１においては、各基板Ａ，Ｃの短辺の長さは、基板Ｂの長辺の長さの半分よりも短いので、これらの基板Ａ，Ｃは、互いに重なり合うことなく、それぞれ基板Ｂにのみ重なっている。また、各基板Ｄ，Ｆの短辺の長さも、基板Ｅの長辺の長さの半分よりも短いので、これらの基板Ｄ，Ｆも、互いに重なり合うことなく、それぞれ基板Ｅにのみ重なっている。
【００６６】
なお、この実施の形態では、前述の通り、温水配管３のうち、基板Ａ，Ｂ同士の突き合わせ部ＴＳを跨ぐ部分、基板Ｂ，Ｃ同士の突き合わせ部ＴＳを跨ぐ部分、基板Ｄ，Ｅ同士の突き合わせ部ＴＳを跨ぐ部分、並びに基板Ｅ，Ｆ同士の突き合わせ部ＴＳを跨ぐ部分が、それぞれ、これらの突き合わせ部ＴＳに沿って延在しているので、これらの突き合わせ部ＴＳに沿って基板Ａ，Ｂ間、基板Ｂ，Ｃ間、基板Ｄ，Ｅ間及び基板Ｅ，Ｆ間を谷折りした際には、第１０図（ａ）〜（ｃ）及び第１１図の通り、温水配管３は、これらの突き合わせ部ＴＳを跨ぐ部分がその軸心回りに捩れるようにして曲がる。
【００６７】
これにより、基板Ａ，Ｂ間、基板Ｂ，Ｃ間、基板Ｄ，Ｅ間及び基板Ｅ，Ｆ間の谷折りに伴い、温水配管３が座屈して破損することが防止される。
【００６８】
次に、第１３図に示すように、基板Ｂ，Ｅ同士の突き合わせ部ＴＬに沿って、該基板Ｂ，Ｅ間を山折りし、これらの基板Ｂ，Ｅの下面同士を対面させるようにして、基板Ｂ，Ｅ同士を重ね合わせる。これにより、第１図に示す床暖房マット１の折り畳み体が形成される。
【００６９】
なお、この実施の形態では、前述の通り、温水配管３のうち、これらの基板Ｂ，Ｅ同士の突き合わせ部ＴＬを跨ぐ部分も、この突き合わせ部ＴＬに沿って延在しているので、この突き合わせ部ＴＬに沿って基板Ｂ，Ｅ間を山折りした際には、第８図（ａ）〜（ｃ）及び第９図の通り、温水配管３は、これらの突き合わせ部ＴＬを跨ぐ部分がその軸心回りに捩れるようにして曲がる。これにより、基板Ｂ，Ｅ間の山折りに伴い、温水配管３が座屈して破損することも防止される。
【００７０】
このようにして折り畳まれた床暖房マット１の折り畳み体にあっては、第１図の通り、基板Ｂ，Ｅ間、基板Ａ，Ｂ間、基板Ｂ，Ｃ間、基板Ｄ，Ｅ間及び基板Ｅ，Ｆ間に空洞状の部分が存在しない。従って、保管時や運搬時に圧迫されても各基板Ａ〜Ｆに反り変形が生じることが防止される。この結果、この床暖房マット１の折り畳み体を広げて敷設する際に、全ての基板Ａ〜Ｆが平坦状となっており、敷設作業を効率よく行うことができる。
【００７１】
なお、この床暖房マット１にあっては、基板Ｅの長辺方向の中央付近にヘッダー４が配置され、このヘッダー４から基板Ｅの盤体１２側に引き回された温水配管３は、この基板Ｅの盤体１２から基板Ｂの盤体１２に引き回されており、ヘッダー４から基板Ｅの盤体１３側に引き回された温水配管３は、この基板Ｅの盤体１３から基板Ｂの盤体１３に引き回されている。即ち、各温水配管３は、各基板Ｂ，Ｅの長辺方向の中間付近において、これらの突き合わせ部ＴＬを跨いで、該基板Ｅから基板Ｂに引き回されている。
【００７２】
従って、ヘッダー４から双方の基板Ｂ，Ｅの盤体１０〜１２及び基板Ａ，Ｄに連続して引き回される温水配管３の長さと、ヘッダー４から双方の基板Ｂ，Ｅの盤体１３〜１６及び基板Ｃ，Ｆに連続して引き回される温水配管３との長さはほぼ同程度である。これにより、各基板Ｂ，Ｅの盤体１０〜１２及び基板Ａ，Ｄと、各基板Ｂ，Ｅの盤体１３〜１６及び基板Ｃ，Ｆとの間で温度差が生じにくく、床暖房マット１の全面にわたって温度が略均一となる。
【００７３】
［第２の実施の形態に係る温調マットの折り畳み体としての床暖房マット１Ａの折り畳み体］
第１４図は第２の実施の形態に係る温調マットの折り畳み体としての床暖房マット１Ａの折り畳み体の斜視図、第１５図はこの床暖房マット１Ａの展開時の斜視図、第１６図は第１５図のXVI−XVI線に沿う断面図、第１７図は第１５図のXVII−XVII線に沿う断面図、第１８図〜第２０図はそれぞれこの床暖房マット１Ａの折り畳み途中時の斜視図である。
【００７４】
なお、第１６図（ａ）は基板Ａ，Ｂ同士を展開した状態を示し、第１６図（ｂ）は基板Ａ，Ｂ間を山折りする途中の状態を示し、第１６図（ｃ）は基板Ａ，Ｂ間を山折りした後の状態を示している。また、第１７図（ａ）は基板Ｂ，Ｅ同士を展開した状態を示し、第１７図（ｂ）は基板Ｂ，Ｅ間を谷折りする途中の状態を示し、第１７図（ｃ）は基板Ｂ，Ｅ間を谷折りした後の状態を示している。
【００７５】
この床暖房マット１Ａも、第１５図の通り、基板Ａ〜Ｃがこの順に一列に配列され、基板Ｄ〜Ｆがこの順に、且つ該基板Ａ〜Ｃに隣接するように一列に配列されてなる。各基板Ａ〜Ｆの構成、各基板Ａ〜Ｆの上面に延設された溝２及びこれらの基板Ａ〜Ｆ同士の突き合わせ部ＴＭ，ＴＮ，ＴＴに跨る溝２’（第１６，１７図）の構成及び配置、並びにこれらの溝２，２’に収容されるようにして引き回された各温水配管３の配置は、前述の第１の実施の形態の床暖房マット１と同様である。
【００７６】
この床暖房マット１Ａにおいては、基板Ｂ，Ｅの上面を連続して覆うように均熱シート材８が配置され、この均熱シート材８が該基板Ｂ，Ｅの上面にそれぞれ接着剤等により貼り付けられている。この均熱シート材８により、基板Ｂ，Ｅ同士が連結されている。
【００７７】
また、各基板Ａ，Ｃ，Ｄ，Ｆの上面にそれぞれ均熱シート材９Ａ，９Ｃ，９Ｄ，９Ｆが配置され、これらの均熱シート材９Ａ，９Ｃ，９Ｄ，９Ｆがそれぞれ各基板Ａ，Ｃ，Ｄ，Ｆの上面に接着剤等により貼り付けられている。
【００７８】
各均熱シート材９Ａ，９Ｃ，９Ｄ，９Ｆと均熱シート材８とは、互いに非連続となっており、各々の端部が基板Ａ，Ｂ同士、基板Ｂ，Ｃ同士、基板Ｄ，Ｅ同士及び基板Ｅ，Ｆ同士の各突き合わせ部ＴＴにそれぞれ臨んでいる。また、均熱シート材９Ａ，９Ｄ同士及び均熱シート材９Ｃ，９Ｆ同士も互いに非連続となっており、各々の端部が基板Ａ，Ｄ同士及び基板Ｃ，Ｆ同士の各突き合わせ部ＴＮにそれぞれ臨んでいる。
【００７９】
なお、この実施の形態では、基板Ａ，Ｂの下面同士、基板Ｂ，Ｃの下面同士、基板Ｄ，Ｅの下面同士及び基板Ｅ，Ｆの下面同士が、それぞれ、これらの突き合わせ部ＴＴを跨いで双方の下面に連続して貼り付けられた屈曲可能な連結シート７（第１６図）により連結されている。この連結シート７は、柔軟に屈曲可能な布又は合成樹脂シート等よりなる。
【００８０】
この実施の形態では、基板Ｂ，Ｅの下面同士は非連結となっている。
【００８１】
この床暖房マット１Ａのその他の構成は、前述の第１の実施の形態の床暖房マット１と同様であり、第１４〜２０図において第１〜１３図と同一符号は同一部分を示している。
【００８２】
この床暖房マット１Ａを折り畳む場合には、まず、第１５図のように床暖房マット１Ａが展開された状態から、第１８図のように、基板Ａ，Ｂ間をこれらの突き合わせ部ＴＴに沿って山折りし、これらの基板Ａ，Ｂの下面同士を対面させるようにして、該基板Ａを基板Ｂの下面側に折り重ねる。また、基板Ｂ，Ｃ間をこれらの突き合わせ部ＴＴに沿って山折りし、これらの基板Ｂ，Ｃの下面同士を対面させるようにして、該基板Ｃを基板Ｂの下面側に折り重ねる。
【００８３】
さらに、基板Ｄ，Ｅ間をこれらの突き合わせ部ＴＴに沿って山折りし、これらの基板Ｄ，Ｅの下面同士を対面させるようにして、該基板Ｄを基板Ｅの下面側に折り重ねる。また、基板Ｅ，Ｆ間をこれらの突き合わせ部ＴＴに沿って山折りし、これらの基板Ｅ，Ｆの下面同士を対面させるようにして、該基板Ｆを基板Ｅの下面側に折り重ねる。
【００８４】
第１９図は、このように基板Ａ，Ｃをそれぞれ基板Ｂの下面側に折り重ねると共に、基板Ｄ，Ｆをそれぞれ基板Ｅの下面側に折り重ねた後の、床暖房マット１Ａの１次折り畳み体を示している。
【００８５】
この床暖房マット１Ａにおいても、各基板Ａ，Ｃの短辺の長さは、基板Ｂの長辺の長さの半分よりも短いので、これらの基板Ａ，Ｃは、互いに重なり合うことなく、それぞれ基板Ｂにのみ重なっている。また、各基板Ｄ，Ｆの短辺の長さも、基板Ｅの長辺の長さの半分よりも短いので、これらの基板Ｄ，Ｆも、互いに重なり合うことなく、それぞれ基板Ｅにのみ重なっている。
【００８６】
なお、この実施の形態でも、温水配管３のうち、基板Ａ，Ｂ同士の突き合わせ部ＴＴを跨ぐ部分、基板Ｂ，Ｃ同士の突き合わせ部ＴＴを跨ぐ部分、基板Ｄ，Ｅ同士の突き合わせ部ＴＴを跨ぐ部分、並びに基板Ｅ，Ｆ同士の突き合わせ部ＴＴを跨ぐ部分が、それぞれ、これらの突き合わせ部ＴＴに沿って延在しているので、これらの突き合わせ部ＴＴに沿って基板Ａ，Ｂ間、基板Ｂ，Ｃ間、基板Ｄ，Ｅ間及び基板Ｅ，Ｆ間を山折りした際には、第１６図（ａ）〜（ｃ）及び第１８図の通り、温水配管３は、これらの突き合わせ部ＴＴを跨ぐ部分がその軸心回りに捩れるようにして曲がる。
【００８７】
これにより、基板Ａ，Ｂ間、基板Ｂ，Ｃ間、基板Ｄ，Ｅ間及び基板Ｅ，Ｆ間の山折りに伴い、温水配管３が座屈して破損することが防止される。
【００８８】
次に、第２０図に示すように、基板Ｂ，Ｅ同士の突き合わせ部ＴＭに沿って、該基板Ｂ，Ｅ間で均熱シート材８を谷折りし、これらの基板Ｂ，Ｅの上面（均熱シート材８）同士を対面させるようにして、基板Ｂ，Ｅ同士を重ね合わせる。これにより、第１４図に示す床暖房マット１Ａの折り畳み体が形成される。
【００８９】
なお、この実施の形態でも、温水配管３のうち、これらの基板Ｂ，Ｅ同士の突き合わせ部ＴＭを跨ぐ部分も、この突き合わせ部ＴＭに沿って延在しているので、この突き合わせ部ＴＭに沿って基板Ｂ，Ｅ間を谷折りした際には、第１７図（ａ）〜（ｃ）及び第２０図の通り、温水配管３は、これらの突き合わせ部ＴＭを跨ぐ部分がその軸心回りに捩れるようにして曲がる。これにより、基板Ｂ，Ｅ間の谷折りに伴い、温水配管３が座屈して破損することも防止される。
【００９０】
このようにして折り畳まれた床暖房マット１Ａの折り畳み体にあっても、第１４図の通り、基板Ｂ，Ｅ間、基板Ａ，Ｂ間、基板Ｂ，Ｃ間、基板Ｄ，Ｅ間及び基板Ｅ，Ｆ間に空洞状の部分が存在しない。従って、保管時や運搬時に圧迫されても各基板Ａ〜Ｆに反り変形が生じることが防止される。この結果、この床暖房マット１Ａの折り畳み体を広げて敷設する際に、全ての基板Ａ〜Ｆが平坦状となっており、敷設作業を効率よく行うことができる。
【００９１】
［材質等］
上記各部材の材質の一例として次のものが挙げられるが、これらに限定されるものではない。
【００９２】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００９３】
小根太としては、木材や、釘打ち可能な合成木材又は合成樹脂が好ましい。
【００９４】
均熱シート材としては、アルミ又は銅の金属箔が好ましい。
【００９５】
温水配管としては、可撓性のポリエチレン等の合成樹脂チューブや銅パイプが例示される。
【００９６】
［寸法等］
本発明においては、折り畳み体とされる温調マットの大きさに制限はないが、特に大型の温調マットを用いた場合に、本発明の作用効果が顕著に発揮される。
【００９７】
例えば、本発明においては、温調マットの折り畳み体の上下の面に露呈する基板Ｂ，Ｅの一辺の長さが５００ｍｍ以上、特に８００ｍｍ以上の温調マットであることが好ましい。
【００９８】
通常は、上記の実施の形態のように、温調マットのうち基板Ａ，Ｂ，Ｃから構成される部分と、基板Ｄ，Ｅ，Ｆから構成される部分とは、同一形状となっているが、これらが互いに異なる形状となっていてもよい。基板Ａ，Ｂ，Ｃ側と基板Ｄ，Ｅ，Ｆ側とを互いに異なる形状とする場合には、ヘッダーが配置される側（上記の実施の形態では基板Ｄ，Ｅ，Ｆ側）を、ヘッダーが配置されない側（上記の実施の形態では基板Ａ，Ｂ，Ｃ側）よりも大きくすることが好ましい。これらを異なる形状とすることにより、ヘッダーから分岐される温調配管の経路を変化させることができ、加熱性能を制御することも可能である。
【００９９】
［その他の構成］
上記の実施の形態は、いずれも本発明の一例を示すものであり、本発明は図示の構成に限定されない。
【０１００】
例えば、上記の各実施の形態では、各基板Ａ〜Ｆは、複数の帯状の盤体と複数の小根太とを交互に配列してなるものであるが、各基板Ａ〜Ｂの構成はこれに限定されるものではない。本発明においては、小根太は省略されてもよい。
【０１０１】
第１の実施の形態の床暖房マット１では基板Ｂ，Ｅの下面同士が屈曲可能な連結シート７により連結され、第２の実施の形態の床暖房マット１Ａでは基板Ａ，Ｂの下面同士、基板Ｂ，Ｃの下面同士、基板Ｄ，Ｅの下面同士及び基板Ｅ，Ｆの下面同士がそれぞれ屈曲可能な連結シート７により連結されているが、この連結シート７は省略されてもよい。なお、このように、これらの基板の下面同士が屈曲可能な連結シート７により連結されることにより、各床暖房マット１，１Ａの山折り部における基板同士の離反が防止ないし抑制される。本発明では、連結シート７以外の屈曲可能な連結手段によりこれらの基板同士が連結されてもよい。
【０１０２】
上記の各実施の形態では、基板Ｅにヘッダー４が配置され、このヘッダー４から、第１の温水配管３が基板Ｅ，Ｂ，Ａ，Ｄに配設され、第２の温調用配管３が、基板Ｅ，Ｂ，Ｃ，Ｆに配設されているが、温水配管３の配設ルートはこれに限定されない。
【０１０３】
例えば、基板Ｅに配置されたヘッダー４から、第１の温水配管３が基板Ｅ，Ｂ，Ａに配設され、第２の温水配管３が基板Ｅ，Ｂ，Ｃに配設され、第３の温水配管３が基板Ｅ，Ｄに配設され、第４の温水配管３が基板Ｅ，Ｆに配設されてもよい。このように構成した場合にも、各温水配管３の引き回しを容易に行うことができると共に、基板Ａ〜Ｆの全体にわたって温度を略均等にすることができる。
【０１０４】
本発明においては、各基板に、１系統の温水配管３が配設されてもよく、２系統以上の温水配管３が配設されてもよい。
【０１０５】
上記の実施の形態では温水配管３が均熱板を介さずに各溝２内に収容されているが、各溝２の内面から各基板Ａ〜Ｆの上面にかけて均熱板を配材するようにしてもよい。このように構成することにより、温水配管３からの熱をより効率良く各基板上の均熱シート材に伝えることができる。
【０１０６】
図示は省略するが、上記の各実施の形態において、床暖房マット１，１Ａの折り畳み体の側面に露出した温水配管３を保護するために、この露出した温水配管３を保護材で被覆しておいてもよい。この保護材の材質に特に制限はなく、例えば透明フィルム、低粘着フィルム、伸縮性フィルム等を用いることができる。また、この保護材により、配管露出部の全部を被覆してもよく、このうちの一部を被覆してもよい。このような保護材で各配管露出部を被覆した場合には、床暖房マット１，１Ａを展開する前にこの保護材を剥離させればよい。
【０１０７】
上記の実施の形態は、床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【図面の簡単な説明】
【０１０８】
【図１】第１の実施の形態に係る温調マットの折り畳み体としての床暖房マット１の折り畳み体の斜視図である。
【図２】床暖房マット１の展開時の斜視図である。
【図３】展開した床暖房マット１の上面図である。
【図４】展開した床暖房マット１の下面図である。
【図５】図４のＶ−Ｖ線に沿う断面図である。
【図６】床暖房マット１の上面の中央付近の拡大図である。
【図７】図６のVII部分の拡大図である。
【図８】図７のVIII−VIII線に沿う断面図である。
【図９】床暖房マット１の基板Ｂ，Ｅ同士の間を山折りする途中の状態を示す斜視図である。
【図１０】図４のＸ−Ｘ線に沿う断面図である。
【図１１】床暖房マット１の折り畳み途中時の斜視図である。
【図１２】床暖房マット１の折り畳み途中時の斜視図である。
【図１３】床暖房マット１の折り畳み途中時の斜視図である。
【図１４】第２の実施の形態に係る温調マットの折り畳み体としての床暖房マット１Ａの折り畳み体の斜視図である。
【図１５】床暖房マット１Ａの展開時の斜視図である。
【図１６】図１５のXVI−XVI線に沿う断面図である。
【図１７】図１５のXVII−XVII線に沿う断面図である。
【図１８】床暖房マット１の折り畳み途中時の斜視図である。
【図１９】床暖房マット１の折り畳み途中時の斜視図である。
【図２０】床暖房マット１の折り畳み途中時の斜視図である。
【符号の説明】
【０１０９】
Ａ〜Ｆ  基板
ＴＬ，ＴＳ，ＴT，ＴM，ＴN  突き合わせ部
１，１Ａ  床暖房マット
２，２’  溝
３  温水配管
４  ヘッダー
５，６，８，９Ａ，９Ｃ，９Ｄ，９Ｆ  均熱シート材
１０〜１９  盤体
３０  小根太
３１  連結部
【図１】
2008224091.tif 000003
【図２】
2008224091.tif 000004
【図３】
2008224091.tif 000005
【図４】
2008224091.tif 000006
【図５】
2008224091.tif 000007
【図６】
2008224091.tif 000008
【図７】
2008224091.tif 000009
【図８】
2008224091.tif 000010
【図９】
2008224091.tif 000011
【図１０】
2008224091.tif 000012
【図１１】
2008224091.tif 000013
【図１２】
2008224091.tif 000014
【図１３】
2008224091.tif 000015
【図１４】
2008224091.tif 000016
【図１５】
2008224091.tif 000017
【図１６】
2008224091.tif 000018
【図１７】
2008224091.tif 000019
【図１８】
2008224091.tif 000020
【図１９】
2008224091.tif 000021
【図２０】
2008224091.tif 000022